Podtech/llm-jp-corpus-v4-ja_patent huggingface dataset:
(57)【要約】【課題】従来のうちわは、うちわを扇ぐのに腕全体を振らなければならず、特に長時間に渡りうちわを扇がなければならない状況の時等は、腕全体が苦痛や疲労をし、暑い時期に自らの体を扇ぐ時等は、うちわを扇ぐ動作によりかえって体が熱くなってしまい、また、体全体の疲労感を伴った。【解決手段】操作レバー２０を操作する事により、操作レバー２０とうちわ取り付け部品３をつないだ、操作用紐１５の作用、ねじりコイルばね９の反発力にて、うちわ取り付け部品３に取り付けたうちわ扇部分１を扇ぐ。【選択図】図１
2009101114.tif 000002
【特許請求の範囲】
【請求項１】
角度調整可能な胴体の一方にうちわを取り付け、胴体のもう一方にうちわを扇ぐ為の動作を手先のみで操作するレバーを取り付けた柄を設けた事を特徴とする手動うちわ扇ぎ装置。
【発明の詳細な説明】
【技術分野】
【０００１】  この発明は、風を起こす為等に用いるうちわに関する。
【背景技術】
【０００２】  従来の風を起こす為等に用いるうちわの形状は、図２に示すように、うちわの扇部分１に柄２が設けられたものである。
【発明の開示】
【発明が解決しようとする課題】
【０００３】  しかしながら、以上の技術によれば、うちわを扇ぐのに腕全体を振らなければならず、特に長時間に渡りうちわを扇がなければならない状況の時、例えば炭火や寿司飯等を扇ぐ時等は、腕全体が疲労し、また、暑い時期に自らの体を扇ぐ時、例えば炎天下でのスポーツ観戦時等は、うちわを扇ぐ動作によりかえって体が熱くなってしまい、また、腕が痛くなり、更には体全体の疲労感を伴った。
そこで、この発明は、手先の僅かな動作、僅かな体力で扇ぐ事の出来るうちわを提供することを課題とする。
【課題を解決するための手段】
【０００４】  以上の課題を解決するために、第一発明は、角度調整可能な胴体の一方にうちわを取り付け、胴体のもう一方にうちわを扇ぐ為の動作を手先のみで操作するレバーを装着した柄を設けたことを特徴とする手動うちわ扇ぎ装置である。
【発明の効果】
【０００５】  第一発明よれば、うちわの柄の部分に手先のみでうちわを扇ぐ動作を操作するレバーを設けたので、手先の僅かな動作、僅かな体力でうちわを扇ぐ事が出来る。
【発明を実施するための最良の形態】
【０００６】  この発明の一実施形態を、図１及び図２に示す。
プラスチック又は軽金属等を素材とした中空の胴体一１０及び中空の胴体二１１をうちわの角度を調節出来る様角度調整螺子１３雄及び角度調整螺子雌１４にて関節状に接続し、胴体一１０にうちわ取り付け部品３を、うちわを扇ぐ動作が出来る様関節状に組螺子雄７及び組螺子雌８にて接続する。このとき、組螺子雄７及び組螺子雌８をねじりコイルばね９に通す様に取り付け、ねじりコイルばね９の両側の腕部分をうちわ取り付け部品３内部及び胴体一１０内部に通し、ねじりコイルばね９の両側の腕部分の先端をそれぞれうちわ取り付け部品３の内部に設けたねじりコイルばね腕固定部分一２３及び胴体一１０の内部に設けたねじりコイルばね腕固定部分二２４に固定する様に取り付ける。うちわ取り付け部品３にうちわ扇部分１を有するうちわ柄部分２を挟み込む様に取り付け、うちわ固定用螺子雄４及びうちわ固定用螺子雌５にて固定する。操作用柄部品一１６、操作レバー通し部品一１８、操作レバー通し部品二１９、操作レバー２０、操作用柄部品二２２から構成するうちわ操作用の柄を胴体二１１に取り付け、この操作レバー２０に設けた操作レバー用紐取り付け部２１とうちわ取り付け部品３に設けたうちわ側紐取り付け部６を、胴体一１０内部及び胴体二１１内部を通りうちわ側操作用紐取出口１２及び操作レバー側操作用紐取出口１７を通過した操作用紐１５で結ぶ。【０００７】「実施形態の効果」
この実施形態によれば、胴体一１０と胴体二１１の間の関節部分を調節してうちわ扇部分１の角度を変えて扇ぐ対象を自分の体や違う対象物、例えば炭火や寿司飯等に向く位置に角度調整螺子雄１３及び角度調整螺子雌１４にて固定し、操作用柄部品二２２に親指を掛ける様に持って操作レバー２０に親指以外の指を掛けて操作レバー２０を操作用柄部品二２２側に引く様に握り、また、操作レバー２０を握る力を弱めて操作レバー２０をねじりコイルばね９の反発力により元の位置に戻す動作をし、この一連の動作を繰り返す事により、手先の僅かな力でうちわ扇部分１を連続して扇ぐ事が出来る為、腕全体が痛くなりにくくなり、体が熱くなりにくくなり、また、体全体の疲労度を従来のうちわを扇ぐ動作よりも低減する事が出来る。【０００８】「他の実施形態」
図１の実施形態では、柄や操作レバーの形状は操作レバーを４本の指で握る様になっているが、他の実施形態では、操作レバーを少ない指の数で操作する様柄や操作レバーの形を、例えば拳銃型等に変更したものでも良く、操作用紐は切れにくいよう筒の様な物で覆ったものでも良く、胴体とうちわ取り付け部品を接続する組螺子はねじりコイルばねを通る鋲や芯の様なものでもよく、また、うちわ固定用螺子及び角度調整螺子は、蝶螺子等を使用したものでも良い。
【図面の簡単な説明】
【０００９】
【図１】この発明の一実施形態を示す斜視図である。
【図２】この発明のうちわ取り付け部品と胴体一を接続する間接部分の透過図である。
【図３】従来技術を示す斜視図である。
【符号の説明】
【００１０】  １  うちわ扇部分                  ２  うちわ柄部分
３  うちわ取り付け部品            ４  うちわ固定用螺子雄
５  うちわ固定用螺子雌            ６  うちわ側紐取り付け部
７  組螺子雄                      ８  組螺子雌
９  ねじりコイルばね            １０  胴体一
１１  胴体二                      １２  うちわ側操作用紐取出口
１３  角度調整螺子雄              １４  角度調整螺子雌
１５  操作用紐                    １６  操作用柄部品一
１７  操作レバー側操作用紐取出口  １８  操作レバー通し部品一
１９  操作レバー通し部品二        ２０  操作レバー
２１  操作レバー用紐取り付け部    ２２  操作用柄部品二
２３  ねじりコイルばね腕固定部分一
２４  ねじりコイルばね腕固定部分二
【図１】
2009101114.tif 000003
【図２】
2009101114.tif 000004
【図３】
2009101114.tif 000005
(57)【要約】【課題】読みかけの本や雑誌等の文章や図等を指し示しておき、後で続きを読む時に、今まで読んだ文章や図等の続きがすぐ分かるしおりであり、また装着したときに抜け落ちにくく、本の中に納まり邪魔にならないしおりを得るにある。【解決手段】厚さの薄い可撓性のある円形状シートの端部に所定の行又は文字の位置を指し示すための指標を設けたしおり。また、厚さの薄い可撓性のある円形状シートは、文字が透ける透明又は半透明であるしおり。【選択図】図１
2009101674.tif 000002
【特許請求の範囲】
【請求項１】
厚さの薄い可撓性のある円形状シートの端部に所定の行又は文字の位置を指し示すための指標を設けたことを特徴とするしおり。
【請求項２】
前記厚さの薄い可撓性のある円形状シートは、文字が透ける透明又は半透明であることを特徴とする請求項１に記載のしおり。
【発明の詳細な説明】
【技術分野】
【０００１】本発明は、読みかけの本や雑誌等の文章や図等を指し示しておき、後で続きを読む時に、今まで読んだ文章や図等の続きがすぐ分かるしおりであり、また装着したときに抜け落ちにくく、本の中に納まり邪魔にならないしおりに関するもの。
【背景技術】
【０００２】従来のしおりは、読みかけのページの間に挟んで本や雑誌等を閉じ、後で続きを読むときにしおりのあるページを開いて続きが分かるポイントしおりや指標付きしおりなるものがある。
［特許公開２００１−０１０２５４］ポイントしおり
［特許公開２００５−１３８５６６］指標付きしおり
【発明の開示】
【発明が解決しようとする課題】
【０００３】しかし、これらには次のような欠点があった。
しおりの短部にあるグリップでページを挟み固定させ、ポイント或いは指標の役割を持った矢印を次回読み始めの位置までスライドし動かさなければならない。これは、読書を中断するたびにしなければならず、大変な手間とコツが必要で実用性に欠けるという欠点があった。
【課題を解決するための手段】
【０００４】上述の課題を解決する本発明は、以下のようなものである。
厚さの薄い可撓性のある円形状シートの端部に所定の行又は文字の位置を指し示すための指標を設けたしおり。【０００５】また、厚さの薄い可撓性のある円形状シートは、文字が透ける透明又は半透明であるしおり。
【発明の効果】
【０００６】本発明は従来の欠点に鑑み、本発明であるしおりを回転させるだけで簡単に所定の行又は文字の位置を指し示しておくことができ、本から抜け落ちにくく、邪魔にならない実用性に優れたものである。
【発明を実施するための最良の形態】
【０００７】以下、この発明を実施するための最良の形態を図に基づき説明する。
図１は、この発明の一実施の形態に係るしおりの全体を示した姿図、図２は、しおりを書籍に装着した時の状態を示した姿図である。【０００８】本発明のしおりは、図１のように厚さの薄い可撓性のある円形状シート（１）の端部に所定の行又は文字の位置を指し示すための指標（２）を設けている。【０００９】読書を中断する時に図２のように厚さの薄い可撓性のある円形状シート（１）を回転させながら指標（２）を次回読み始めの行又は文字の位置に合わせ、ページの綴じ込み部（３）に差し込んで固定し、本を閉じる。【００１０】読書を再開する時は、厚さの薄い可撓性のある円形状シート（１）により即座に読み始めのページを開き、指標（２）によって読み始めの行又は文字の位置が一目で確認できる。【００１１】厚さの薄い可撓性のある円形状シート（１）は、文字が透ける透明又は半透明の材料を使用することでページ全体の行又は文字の位置関係が把握しやすくなり、指標（２）を所定の行又は文字の位置を指し示すことが容易になる。【００１２】厚さの薄い可撓性のある円形状シート（１）は、本の中に納まることで閉じたときに邪魔にならず、可撓性があることから弾力でさっと開くことができる。また厚さが薄いことから本から抜け落ちにくい。【００１３】厚さの薄い可撓性のある円形状シート（１）を例えば図３のように形状を回転が可能な機能を残しつつデザインしたり、シート面に絵柄や文字などをいれることで使用者が楽しめるようにしても良い。
【図面の簡単な説明】
【００１４】
【図１】しおりの全体を示した姿図である。
【図２】しおりを本に装着した時の状態を示した姿図である。
【図３】例示として形状のデザイン及びシート面に絵柄を入れたことを示した姿図である。
【符号の説明】
１厚さの薄い可撓性のある円形状シート
２指標
３綴じ込み部
【図１】
2009101674.tif 000003
【図２】
2009101674.tif 000004
【図３】
2009101674.tif 000005
(57)【要約】 【課題】  電極棒先端の研磨操作が簡便な手段で容易にでき、かつ研磨面と被溶接物との平行が容易に調整可能な抵抗溶接機を提供すること。【解決手段】  加圧ヘッドから出るシャフト６に固定された固定ブロック３の上下動により、電極棒１が被溶接物７を押し加圧力が得られる。回転ブロック２は固定ブロック３に対し嵌合している回転中心部２ａを回転軸として回転し、回転ブロック２に固定された電極棒１の先端面１ｂが被溶接物と平行でなくても、回転ブロック２を回転させることで電極棒１の先端面１ｂと被溶接物を平行にすることができる。【選択図】  図１
2009101369.tif 000002
【特許請求の範囲】
【請求項１】
被溶接物の同一面上に一対の電極棒を圧接して溶接する抵抗溶接機において、回転軸と回転制御機構とを備えた回転ブロックと、加圧ヘッドから出るシャフトに固定され前記回転ブロックの回転中心部を保持する固定ブロックと、前記回転ブロックに固定された電極棒とを有することを特徴とする抵抗溶接機。
【発明の詳細な説明】
【技術分野】
【０００１】
本発明は、被溶接物に圧接する電極棒に通電して溶接を行なう抵抗溶接機に関する。
【背景技術】
【０００２】
従来の技術は、電極棒が固定されている為、電極棒の研磨で先端が溶接する部品に被溶接物の表面に電極棒を圧接させ、所定の時間通電して溶接を行なうものである。この場合、電極棒が固定されている為、電極棒の研磨で先端が被溶接物に対し傾いた場合でも、目視では判断できず一度溶接して状態を見なければならない。そして、電極棒が片当り（被溶接物に対して斜めに接触）している場合は再研磨と状態確認を行なっている。
【０００３】
また、特許文献１には電極棒の先端を球形状にして被溶接物に対し、一定の接触面を有する様に考えられた技術が開示されているが、電極棒研磨に専用の研磨機構を必要とするものである。
【０００４】
【特許文献１】特開平０５−１７７３５９号公報
【発明の開示】
【発明が解決しようとする課題】
【０００５】
電極棒先端の研磨をおこなう際、電極棒を装置に付けた状態で研磨をすると、研磨面が被溶接物と平行になりづらく、溶接品質が安定しない。また、電極棒を装置から取り外して研磨専用機で再研磨をする場合は、保守時間が多くなり作業時間増加となる、その上、再取り付けの時に電極棒に微妙な傾き等が発生する可能性がありこれも溶接品質のバラつきの一因となっている。
【０００６】
また、軽薄短小の製品が多くなり、それに伴い使用される部品の寸法上の制約から溶接範囲も狭くなっており、電極棒の先端径を細くするなどの対応が必要となっている。その為小さい荷重でも電極棒が撓み、電極棒先端の研磨後は研磨面が被溶接物と平行になりづらく、溶接品質が安定しないという問題がある。
【０００７】
従って、本発明の課題は、上述のような溶接品質の問題をなくした電極棒先端の研磨操作が簡便な手段で容易にでき、かつ研磨面と被溶接物との平行が容易に調整可能な抵抗溶接機を提供することにある。
【課題を解決するための手段】
【０００８】
本発明は上記の課題を解決するためになされたものであり、被溶接物の同一面上に一対の電極棒を圧接して溶接する抵抗溶接機において、回転軸と回転制御機構とを備えた回転ブロックと、加圧ヘッドから出るシャフトに固定され前記回転ブロックの回転中心部を保持する固定ブロックと、前記回転ブロックに固定された電極棒とを有することを特徴とする抵抗溶接機である。
【発明の効果】
【０００９】
本発明の抵抗溶接機であれば、電極棒先端面が常に被溶接物と平行になり、溶接品質が安定する。また、再研磨の必要が無く保守時間を短縮することができる。
【発明を実施するための最良の形態】
【００１０】
以下、本発明の実施の形態を図１〜図２に基づいて説明する。図１は本発明の抵抗溶接機の構成を示す概略図であり、図１（ａ）は平面図、図１は（ｂ）正面図である。図１において、１は電極棒、１ａは電極棒の偏芯部、１ｂは電極棒偏芯部の先端面、２は回転ブロック、２ａは回転ブロックの回転中心部、３は固定ブロック、４は電源ケーブル、５は回転制御機構、６は固定ブロックを取り付けるシャフト、７は被溶接物である。
【００１１】
また、図２は本発明の抵抗溶接機の電極棒先端部を拡大した図である。図２において、１は電極棒、１ｂは電極棒偏芯部の先端面、７は被溶接物である。
【００１２】
加圧ヘッドから出るシャフト６に固定された固定ブロック３の上下動により、電極棒１が被溶接物７を押し加圧力が得られる。回転ブロック２は固定ブロック３に対し嵌合している回転中心部２ａを回転軸として回転し、回転ブロック２に固定された電極棒１の先端面１ｂが被溶接物７と平行でなくても、回転ブロック２を回転させることで電極棒１の先端面１ｂと被溶接物７を平行にすることができる。
【００１３】
回転ブロック２が回転する方向は、研磨の往復軌道と同じ方向に設定し、研磨負荷による電極棒１の撓みによる先端面１ｂの傾きに対応することができる。
【実施例１】
【００１４】
電極棒１を回転制御機構５で回転ブロック２を固定させ、電極棒１の偏芯部１ａの先端面１ｂを研磨した後、回転制御機構５を緩める。その後、本発明の機構部全体を下降させ電極棒１の先端面１ｂと被溶接物７とを接触させる。回転ブロック２が回転し電極棒１の先端面１ｂと被溶接物７が平行になったところで、回転制御機構５を締め回転ブロック２を固定する。機構部全体を溶接の準備位置まで上げても、電極棒１の先端面１ｂと被溶接物７は平行のまま保持される。
【実施例２】
【００１５】
実施例１の回転ブロックを固定させ研磨した後、回転制御機構を緩める。溶接時、加圧ヘッドを下降させ電極棒１が被溶接物７に接触し圧力が掛かり回転ブロック２が回転することで、電極棒１の先端面１ｂと被溶接物７が平行になり、一定圧力が掛かった後、溶接が行なわれる。
【図面の簡単な説明】
【００１６】
【図１】本発明の抵抗溶接機の構成を示す概略図。
【図２】本発明の抵抗溶接機の電極棒先端部を拡大した図。
【符号の説明】
【００１７】
１    電極棒
１ａ    電極棒の偏芯部
１ｂ    （電極棒偏芯部の）先端面
２    回転ブロック
２ａ    回転中心部
３    固定ブロック
４    電源ケーブル
５    回転制御機構
６    シャフト
７    被溶接物
【図１】
2009101369.tif 000003
【図２】
2009101369.tif 000004
(57)【要約】      （修正有）【課題】電気も燃料も無いような緊急時でも飲料水を造水でき、救命ボートや緊急避難セットにも収納できる小型の緊急用簡易造水装置を提供する。【解決手段】熱電素子１と、熱電素子に電力を供給する太陽電池、汎用発電機、バッテリー等の電力供給手段と、熱電素子の温熱側に取り付けた放熱板３と、熱電素子の冷却側に取り付けた吸熱板４と、温熱側と冷却側を繋ぐ温められて気化した水分を含む空気の通路、で出来た緊急用簡易造水装置。【選択図】図１
2009101337.tif 000002
【特許請求の範囲】
【請求項１】
熱電素子と熱電素子に電力を供給する電力供給手段と、熱電素子の温熱側に取り付けた放熱板と、熱電素子の冷却側に取り付けた吸熱板と、温熱側と冷却側を繋ぐ空気通路で出来た緊急用簡易造水装置。
【請求項２】
熱電素子への電力供給手段から電力の供給を受け、空気通路に効率良く結露させる為の換気装置を備えたことを特徴とする請求項１記載の緊急用簡易造水装置。
【発明の詳細な説明】
【技術分野】
【０００１】  本発明は、緊急用簡易造水装置に関するものである。
【背景技術】
【０００２】  緊急時の飲料用水の確保は、生命にかかわる重大な事である。特に、船舶に於いては長い航海のために電気等を利用した様々な造水装置が利用されている。これらの装置は主に海水から真水を作る装置であるが、何らかの故障で電気やモーターが使用できない事態も想定される。また、緊急事態が発生し船を捨て救命ボートで非難する場合もある。通常、救命ボートには数日間の飲料水が確保されているが、それを使い切ってしまうと運よく雨が降らない限り新たに飲料水を確保することは難しい。また、日常生活においても、災害時等の緊急時においてはライフラインの障害などにより飲料水の確保が困難な場合もある。このような電気も水道も無い緊急時に於いて、飲料用に適さない水質の水を気化させて結露させる事により清浄化し飲料用に再生する。また、気化させる原水もない場合でも空気中の水分を結露させ水分を取り出し飲料水として確保出来るようにする。本装置を、各船舶の救命ボートや災害時の緊急非難セットに常備品として確保し緊急時の生命の危機に対応する。
【発明の開示】
【発明が解決しようとする課題】
【０００３】  従来の造水装置は、電気や交換幕等を利用し、海水や河川の水から飲料用水や生活用水を製造している。しかし、これらの装置は動かすための動力源がないと機能しない。また、これらの設備は大掛かりで緊急用の救命ボートや緊急非難セットには持ち込めない。持ち込めても海水や真水など、浄化する元の水がない場合も飲料水を製造する事が出来ない。このように、電気も燃料も原水も無いような緊急時でも飲料水を造水出来、救命ボートや緊急避難セットにも収納できる小型の緊急用簡易造水装置を提供する。
【課題を解決するための手段】
【０００４】熱電素子と熱電素子に電力を供給する電力供給手段と、熱電素子の温熱側に取り付けた放熱板と、熱電素子の冷却側に取り付けた吸熱板と、温熱側と冷却側を繋ぐ空気通路で出来た緊急用簡易造水装置。
【発明の効果】
【０００５】  本発明の造水装置は、熱電素子の放熱エネルギーを用いて海水や原水を温めて気化を促進し、気化した水分を冷却効果によって結露させ、飲料水として取り出す。また、海水や原水が確保できない場合でも、効率は落ちるが大気中の水分を結露させて飲料水として取り出す事も出来る。装置への電力供給は、主に太陽電池を使用するため太陽さえ出ていれば飲料水が確保できる。本装置は、太陽電池と熱電素子を組み合わせただけのコンパクトな設計のため装置本体を小型化でき、救命ボートや緊急避難セットにも収納可能である。装置は、緊急時以外は基本的にほとんど使用しないため収納時はできるだけ小さいほうがよい、本装置はこのような要求にも十分こたえられる形態を実現している。
【発明を実施するための最良の形態】
【０００６】  発明の第一の形態について説明する。造水装置本体（５）の中間に、熱電素子（１）を設置し上部に取り付けられた太陽電池（２）から熱電素子（１）に電気を供給する。なお電力供給手段は汎用発電機、バッテリー等でもよい。熱電素子（１）の温熱側に放熱板（３）を取り付け、冷却側には吸熱板（４）が設置されている。この温熱側に原水を入れた時、この原水は放熱板（３）が発生する熱により温められ気化が促進する。温熱側と冷却側は、上部が空気通路で繋がっており、温熱側で温められて気化した水分を含む空気が空気通路を通り冷却側へと運ばれる。この水分を含んだ空気は、吸熱板（４）により冷却され水分が結露する。結露して得た水を飲料水として利用する。
また、より効率良く造水するために温熱側と冷却側を繋ぐ空気通路に電動ファン（６）を設置し強制的に空気を送り込む。これにより、より多くの飲料水を確保する事が出来る。【０００７】  発明の第二の形態について説明する。前記実施の形態と主に異なる点は原水となる水がない場合にこの形態で使用する。図４に示す通り、温熱側の下部に穴が開いた状態になっている。これにより、放熱板（３）によって近くの空気が温められ、温められた空気は上部の空気通路を通り冷却側へと移動する。冷却側の吸熱板（４）に冷却される事により、空気中の水分が結露し、できた水を飲料水として利用する。
【図面の簡単な説明】
【０００８】
【図１】装置本体の正面斜視図
【図２】装置本体の断面図
【図３】装置の電気ブロック図
【図４】装置本体（穴空型）の断面図
【符号の説明】
【０００９】１、熱電素子
２、太陽電池
３、放熱板
４、吸熱板
５、造水装置本体
６、電動ファン
【図１】
2009101337.tif 000003
【図２】
2009101337.tif 000004
【図３】
2009101337.tif 000005
【図４】
2009101337.tif 000006
(57)【要約】      （修正有）【課題】人、動物および植物に淡水は非常に貴重な存在であるが、今後、地球温暖化により淡水は少なく、塩分濃度の濃い海水や深層水からできる限りの塩分を取りのぞき淡水化して人間が飲めて、植物も育てることの出来る水の作り方を提供する。【解決手段】海水や深層水をビニール袋に入れて冷凍庫で一度氷にしてその氷をザクザクになるまで溶かして水分を吹き飛ばすと淡水に近い氷だけが残る。残った氷を溶かすとほとんど淡水に近く飲む事ができる。しかし、まだ微量の塩分があるので、もう一度同じことを繰り返すとほとんど淡水と同じ水ができる。【選択図】なし【特許請求の範囲】
【発明の詳細な説明】
【技術分野】
【０００１】本発明は塩分濃度の濃い海水や深層水からできる限りの塩分をとりのぞき淡水化にして人も飲めて、植物も育てることの出来る水の作り方に関するものである。
【背景技術】
【０００２】従来海水や深層水は塩分が多く人は飲むことが出来ない水であった。現在は淡水化プラント施設が水道事業団などにあり海水を淡水化しています。しかしその装置は誰にでも使用出来るものではない。一般庶民は今すぐ水を飲みたいときに近くに海水や深層水はあるが飲めない。また海水や深層水では植物は育たなかった。
【発明の開示】
【発明が解決しようとする問題】
【０００３】これからの世の中は地球温暖化により干ばつ砂漠化などが進み淡水は今迄以上に必要になってくる。そこで従来のような機械装置がなくても，汚れのないきれいな海水や深層水があれば簡単に安価な製造方法で飲料水にして飲むことができないか研究を重ねた。また海水や深層水で植物野菜など育てることはできないか考えた。
【課題と解決するための手段】
【０００４】従来海水とか深層水は塩分が多くて飲むことは出来なかった。また海水を真水にできる機械装置など何処にでもあるものではない。近くには海はあるが飲める水はない、本発明はそのような不便をとりのぞくためにビニール袋に海水または深層水を入れて口をふさぎ凍らせてその氷をザグサクになるまで溶かす、その後細かい網目のザルに入れバケツの上にのせると塩分の濃い水分は下に落ち氷分はのこる。さらにその氷分の水滴を遠心分離機にかけて残った塩水を吹き飛ばす、残った氷を取り出してとかすと塩分はほとんどなくなり飲める水ができる。塩水が水に溶けて氷になるには塩の濃度とかの差はあるが塩分を含んだ水は淡水より冷たい、そのことにより淡水より塩水は冷たくしないと凍らない、また溶けるときは淡水より早くその結果残った氷は淡水がほとんどである。一度の海水や深層水から淡水の取れる量は三分の一程度であるが、一度の行程ではまだ微量の塩分が残る、その時はさらに取れた淡水を凍らせて同じことを繰り返すことにより塩分がより一層少ないものになる。以上の行程により簡単に海水や深層水を淡水にして飲むことも出来植物野菜などにも与えることのできる水を発明したものである。
【発明の効果】
【０００５】本発明は以上のような方法で海水や深層水などから飲み水を取りだすことができるので特別な、淡水にする機械とかは必要としない。各家庭にある冷凍庫と遠心分離機などを使用して淡水をとりだすことが出来る。本発明の行程さえ熟知できれば一般の人達も簡単に飲み水を作る事ができる。また植物などにもその水を与えることにより元気になる。
以上のように誰にでも簡単に海水や深層水のような塩分を含んだ水から淡水だけ取り出す事を特徴としたものである。
【発明を実施するための最良の形態】
【０００６】本発明は大量にある海水や深層水から塩分たけを取り除くために研究を重ね、一度氷にしてからザクザクになるまで溶かす。そのことにより塩分水は液体となり真水より先に流れ出る、さらに流れずに残っている塩水分は遠心分離機で吹き飛ばすと真水だけになった氷は残る、その氷を溶かすと飲める水ができる。しかしまだ微量の塩分は残っているので飲める水をさらに二度三度繰り返すことにより完全なる飲み水が出来る。ただし塩水３ｌから１ｌ程度より採取出来ない。ただこれからの世は地球温暖化の影響で確実に飲み水は少なくなる、その時にこそ本発明が役に立つ日はくるものと確信している。
飲める水で本当に塩分が無くなったのかを確認するために野菜を育ててみたところ他の水より元気に育った。その証拠の写真です。
写真の野菜は深層水から出来たものです。深層水は何百年も汚染されずに海底にあり養分は計り知れないものが有るのではないかと思われます。
あらゆる生物にこの飲める水を与えることにより今までよりも元気な生物ができる可能性もあり、まだまだこれから研究の価値がある飲み水でもある。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
海水や深層水から塩分を取り除くため、一度氷にしてからザクザクになるまでとかす。氷はとける時は塩分の濃いところから先にとける。その塩水と氷をザルに入れて分離する。残った氷の水分は布切れで包み遠心力で吹き飛ばす。最後に残った氷をとかすと、人も飲める淡水になる。以上のような構成で出来るので、冷凍庫と遠心分離機たけで誰にでも簡単に海水や深層水から淡水が得られる技術を提供する。
【請求項２】
海水や深層水から塩分を取り除くため、一度氷にしてからザクザクになるまでとかす。氷はとける時は塩分の濃いところから先にとける。その塩水と氷をザルに入れて分離する。残った氷の水分は布切れで包み遠心力で吹き飛ばす。  最後に残ったこおりをとかすと、人も飲める淡水が出来、その淡水はミネラルなどの養分が多く含まれているので、野菜などに与えると写真にあるように元気に育つ。以上のような行程で育つ元気な野菜を提供する。
(57)【要約】【課題】        移動用点滴台２３上に簡単に乗り滅菌線浄水を手術場に、すぐ提供できる。【解決手段】    生食液１をチューブポンプ８から得られた圧力水をエゼクターミキサー１１と分離槽１４と排オゾン処理の触媒筒１５からなる。オゾン水生成装置を構成したものである。即ち、生理食塩水１をチューブポンプ８で得られた高圧水をエゼクターミキサー１１で瞬時に混合し、オゾンを分離する。分離槽１４に押入し、すばやく、オゾン水の生成装置として構成するものである。【選択図】図１
2009101336.tif 000002
【特許請求の範囲】
【請求項１】
生理食塩水パック液を加圧するチューブポンプと、チューブポンプから得られた圧力液を混合するエゼクターミキサーと、分離槽と排オゾン処理の触媒筒からなるオゾン水生成装置。
【請求項２】
オゾン水を成す手段が生成食塩水パックから取り出された液体を、高圧小型チューブにより圧送され、オゾンと混合するエゼクターミキサーと、この混合液を分離槽からなる一体型のオゾン水生成装置を移動用ポール上部に設置した装置。
【発明の詳細な説明】
【技術分野】
【０００１】本発明は、目の手術において、洗浄する場合生理食塩水とオゾンを混合して、オゾン滅菌水を生成する装置に関するものである。
【背景技術】
【０００２】一般に目の手術後の洗浄に関し、従来は生理食塩水の洗浄後、別室より、水道水で生成したオゾン水を、器に入れ手に持って手術場へ持って行きます。
その移動する際、雑菌が入る可能性と、オゾン水濃度の低下で機能が生かされず不衛生であり危険である。
【発明の開示】
【発明が解決しようとする課題】
【０００３】目の手術の洗浄に関しては常に滅菌水が要求されます。この滅菌水を手術場で簡単にスイッチ１つで生成され時間を大幅に短縮し、かつ衛生的で又、人手をかりずに滅菌洗浄ができる事が要求される。【０００４】ましてオゾン水の場合短時間でオゾン濃度が、すぐ低下するので、オゾン水生成と同じに使用できる装置が必要である。【０００５】１日に何人も手術する場合、いちいち別室より行ったり来たりする不合理性をなくす事が要求される
【課題を解決するための手段】
【０００６】そこで、本発明は生理食塩水をチューブポンプから得られた圧力液をエゼクターミキサーと分離槽と排オゾン処理の触媒筒からなる、オゾン水生成装置を構成したものである。即ち、本発明はパック詰めの生理食塩水を、チューブポンプで得られた高圧水をエゼクターミキサーで瞬時に混合し、オゾン水と排オゾンを分離する分離槽に押入し、安全にすばやく一切外気に触れられずに、オゾン水の生成装置として構成するものである。
【発明の効果】
【０００７】本発明の移動用オゾン水生成装置は、手術の現場に自由に移動する事が容易である。また、パック詰めの生理食塩液を使用する事で、水道水と違い、ホース及びコネクターの水漏れの心配もなく手術に一人  毎分  １５０ｍｌの少量ですので、従来の大型機に比べ、小型軽量安価で、しかも使用後簡単に取り外し滅菌ができる構造と時間の短縮に著しく効果があります。
【発明を実施するための最良の形態】
【０００８】以下本発明の最良の実施形態を図面に基づき説明する【０００９】図１に生理食塩液のオゾン水生成装置を示すように、基体１６の上部に生理食塩液パック１を備えられており、このパック１とチューブポンプ８をつなぐ、ジョイントチューブ１３で、それぞれ連結されており、スイッチオンでチューブポンプ８からの圧力水でエゼクター１１に送入されると同じにオゾン発生器２より、オゾンエアーがオゾンチューブ７をへて吸引され一気に混合し更に、静止ミキサーでより混ざったオゾン水をニップル１１ｃで分離槽１４に接続する。
分離された排オゾンはエルボー１４ａをかえし触媒筒１５を通して、酸素として安全に排出する。【００１０】一方  分離槽１４の下部よりオゾン水の流水をニップル１４ｃを通して流量調節ができる。輸液チューブを持って治療にあたる。【００１１】尚  オゾン水生成装置の使用後チューブポンプ８のチューブ９とエゼクター１１と分離槽１４及び、それらを接続するニップル類を簡単に指で分離できるので、次回の手術まで、ＥＯＧガス滅菌またはオートクレーブ滅菌で安全に保管できます。【００１２】又、目の滅菌洗浄時間は２０〜３０秒位で、ごく少量なので５００ｍｌのパック液も３人分の洗浄ができます。【００１３】また、チューブポンプ８は超小型でありながら、０．２ｍｐの圧力が得られますので、圧力を必要とするエゼクター１１を活用する事ができる。
しかも、オゾン水生成機本体が２ｋｇと軽量であるので、移動用点滴台（２３）のポール（２４）上に、設置する事ができます。【００１４】尚、図１には示していないが、オゾンエアーの逆流を防ぐ逆止弁や、分離槽１４のオゾン水のオーバーフロー対策を備えることができます。【００１５】また、本発明は以上の実施形態に限定されるものではなく歯科の入歯の洗浄うがい水、器具の洗浄等や身体の手術時洗浄にも幅広く活用ができます。
【図面の簡単な説明】
【００１６】
【図１】本発明の生理食塩液のオゾン水生成装置。
【図２】本発明の移動用実施形態を示す概略図である。
【符号の説明】
【００１７】１、１・・・生理食塩液パック、２・・・オゾン水発生装置、３・・・８・・チューブポンプ、４・・・１１・・エゼクターミキサー、５・・・１４・・分離槽、６・・・１５・・・・・触媒筒
【図１】
2009101336.tif 000003
【図２】
2009101336.tif 000004
(57)【要約】【課題】浴槽、住宅や自動車の窓ガラス等の洗浄表面に前記吸盤体を介して洗浄スポンジ体を吸着させながら液体洗剤によって前記洗浄表面をたいした労苦を伴うことなくスムーズに洗浄できるようにした吸引式洗浄具を提供することを目的とする。【解決手段】洗浄スポンジ体１と、該洗浄スポンジ体１上部に付設された把手２と、前記洗浄スポンジ体１下部に凹面部３ａを下向き開口状態で挿着された吸盤体３とを具備してなる。【選択図】図１
2009101037.tif 000002
【特許請求の範囲】
【請求項１】
洗浄スポンジ体と、該洗浄スポンジ体上部に付設された把手と、前記洗浄スポンジ体下部に凹面部を下向き開口状態で挿着された吸盤体とを具備してなることを特徴とする吸引式洗浄具。
【発明の詳細な説明】
【技術分野】
【０００１】
本発明は、洗浄表面へ洗浄スポンジ体を吸着させながら洗浄する吸引式洗浄具に関する。
【背景技術】
【０００２】
従来、浴槽、住宅や自動車の窓ガラス等の洗浄表面に液体洗剤を含ませた洗浄スポンジ体を押し付けながら繰り返し擦ることによって洗浄表面に付着した汚れを落すようにした洗浄具は広く用いられている。
【特許文献１】特になし
【発明の開示】
【発明が解決しようとする課題】
【０００３】
しかしながら、前記した従来の洗浄具は、洗浄表面に対して洗浄スポンジ体を人手で強く押し付けながら洗浄しないと洗浄表面に付着した汚れを完全に落すことは困難なことが多い。
【０００４】
したがって、従来の洗浄具による洗浄作業は極度の疲労を伴うものであり、体力の無い作業人、女性等にとっては特に労苦が大きい。
【０００５】
そこで、本発明は、叙上のような従来存した諸事情に鑑み案出されたもので、洗浄スポンジ体の下部に吸盤体を挿着することで、浴槽、住宅や自動車の窓ガラス等の洗浄表面に前記吸盤体を介して洗浄スポンジ体を吸着させながら液体洗剤によって前記洗浄表面をたいした労苦を伴うことなくスムーズに洗浄できるようにした吸引式洗浄具を提供することを目的とする。
【課題を解決するための手段】
【０００６】
上述した課題を解決するため、本発明にあっては、洗浄スポンジ体と、該洗浄スポンジ体上部に付設された把手と、前記洗浄スポンジ体下部に凹面部を下向き開口状態で挿着された吸盤体とを具備してなることを特徴とする。
【０００７】
以上のように構成された本発明に係る吸着式洗浄具にあっては、最初に洗浄スポンジ体を液体洗剤に浸漬させ、該洗浄スポンジ体内に液体洗剤を含浸させた後、把手を手に持って洗浄スポンジ体下面を浴槽、住宅や自動車の窓ガラス等の洗浄表面に押し付ければ、洗浄スポンジ体下部に挿着された吸盤体が洗浄表面に吸着されると共に、洗浄スポンジ体下面も当該洗浄表面に圧着される。
【発明の効果】
【０００８】
以上のように本発明によれば、洗浄スポンジ体を吸盤体によって洗浄表面に圧着できるため、人手で強く洗浄スポンジ体を押し付ける作業が不要となり、体力の無い作業人や女性等であっても労苦を伴うことなく効果的な洗浄作業を行うことができる。
【０００９】
また、洗浄作業のさい、洗浄スポンジ体に含浸された液体洗剤が潤滑材の役割を果たし、吸盤体が洗浄表面に吸着されていても、洗浄スポンジ体は洗浄表面をスムーズに摺動するため洗浄作業の支障とはならない。
【発明を実施するための最良の形態】
【００１０】
以下、図面を参照して本発明に係る吸引式洗浄具を実施するための最良の一形態を詳細に説明する。
【００１１】
本発明に係る吸引式洗浄具は、洗浄スポンジ体１と、該洗浄スポンジ体１の上部に付設された把手２と、前記洗浄スポンジ体１下部に挿着された吸盤体３とを具備して成る。
【００１２】
洗浄スポンジ体１は、発泡ウレタンを素材として円形あるいは四角形等の立方体状に形成され、中央に垂直孔４が上下に貫通して設けられている。垂直孔４の上方は把手２の挿通孔４ａとして形成され、下方は吸盤体３の装着孔４ｂとして形成されている。したがって、これら挿通孔４ａおよび挿着孔４ｂは把手２および吸盤体３の形状と大きさに合わせて形成されている。
【００１３】
把手２は、円筒状に形成され、後端に滑り止めを設けた握部２ａを設け、先端を下向きの略Ｌ字形状の連結部２ｂに形成してある。連結部２ｂは前記洗浄スポンジ体１の上面に固着した支持板５を貫通してその下方に位置する挿通孔４ａに挿着してある。
【００１４】
吸盤体３は、合成ゴム等の弾性材料にて下面に吸着用の凹面部３ａを備えると共に、上面中央に軸部材３ｂが一体に突設してある。凹面部３ａは洗浄スポンジ体１の挿着孔４の下側開口部と連通、開口するよう当該洗浄スポンジ体１の下面ラインよりやや上部に配置されている。
【００１５】
吸盤体３は、その軸部材３ｂが把手２の連結部２ｂ下端の開口部に装着されることで洗浄スポンジ体１の垂直孔４における挿通孔４ａと挿着孔４ｂ内に配置、固定される。
【００１６】
次に、以上のように構成された本発明に係る吸引式洗浄具の最良の形態についての使用、動作の一例について説明する。
【００１７】
先ず、洗浄スポンジ体１を液体洗剤に浸漬して当該洗浄スポンジ体１内に液体洗剤を含浸させる。
【００１８】
次いで、図５に示すように、把手２の握部２ａを手に持って洗浄スポンジ体１の下面を浴槽、住宅や自動車の窓ガラス等の洗浄表面ａへ押し付けると、該洗浄表面ａ上面へ洗浄スポンジ体１は圧縮状態で圧着され、洗浄スポンジ体１に設けられた挿着孔４ｂに挿着されている吸盤体３が押し出され凹面部３ａが洗浄表面ａに当接され、吸着される。
【００１９】
これによって、洗浄スポンジ体１も洗浄表面ａに圧縮保持されるため、洗浄スポンジ体１を上方から強く押し付けなくとも、当該洗浄スポンジ体１を洗浄表面ａ上で擦ることで洗浄表面ａに付着した汚れを十分に落すことができる。
【００２０】
この洗浄作業中、吸盤体３の凹面部３ａが洗浄表面ａに吸着していても、凹面部３ａと洗浄表面ａ間に介在する液体洗剤が円滑材として作用するため、洗浄スポンジ体１が吸着されたまま洗浄表面ａ上で擦るときの支障にならない。
【００２１】
したがって、体力の無い作業人や女性等であっても洗浄作業を楽に行うことができる。
【図面の簡単な説明】
【００２２】
【図１】本発明を実施するための最良の形態における吸引式洗浄具の一例を示す側面図である。
【図２】同じく平面図である。
【図３】同じく底面図である。
【図４】同じく図２のＩ−Ｉ矢視断面図である。
【図５】同じく使用状態を示す一部を切り欠いた側面図である。
【符号の説明】
【００２３】
１    洗浄スポンジ体
２    把手
２ａ  握部
２ｂ  連結部
３    吸盤体
３ａ  凹面部
３ｂ  軸部材
４    垂直孔
４ａ  挿通孔
４ｂ  挿着孔
５    支持板
ａ    洗浄表面
【図１】
2009101037.tif 000003
【図２】
2009101037.tif 000004
【図３】
2009101037.tif 000005
【図４】
2009101037.tif 000006
【図５】
2009101037.tif 000007
(57)【要約】 【課題】軽量で取り扱いが容易な、まな板であり食材をまな板の上で切り食材をのせたままトレーにし、そのまま食卓に出せるので食器の使用する量を減らすことにより、家事を軽減し又折りたため場所を取らずに収納できる多目的まな板を提供する。【解決手段】本物品は平坦なシート状ポリプロピレン等の樹脂に内側に底部と側壁部を形成する谷型の折り目を設け、谷型の折り目に沿って内側に折り曲げることにより略角皿トレーを形成する。又側壁部先端から対面側壁部先端まで一本以上、直線の谷型折り目を設けることにより折りたため収納できる他目的まな板。【選択図】  図２
2009101049.tif 000002
【特許請求の範囲】
【請求項１】
本物品は平坦なシート状ポリプロピレン等の樹脂や紙素材又は樹脂と紙の複合体素材に平坦なシート内側に底部と側壁部を形成する為、側壁部の長さを控え、シート内側に底部を画する矩形の谷型の折れ目を設け、底部を画した矩形四隅先端から平坦シートの側壁部を形成する為の四方先端まで斜線谷型の折り目を設け谷型の折り目に沿うように内側に折り曲げることにより、略角皿状トレーを形成する多目的まな板。
【請求項２】
請求項１の平坦なシートを折りたたみ収納を容易にする為、側壁部先端から対面側壁部先端まで直線の谷型の折れ目１本以上設ける事により折たため、折りたたんだ先端部分を保持する為の切り込みを側壁部に設けることにより折りたたんだまま収納できる多目的まな板。
【請求項３】
請求項１の中に請求項２が設けられていることにより平坦なシートが底部と側壁部を形成する為に設けられた谷型の折り目に沿って内側に折り曲げることにより略角皿状トレーを形成し、収納の際にコンパクトに折りたためる多目的まな板。
【発明の詳細な説明】
【技術分野】
【０００１】
本発明は平坦なシート状ポリプロピレン等の樹脂や紙素材又は樹脂と紙の複合体素材を使用し平坦なシートの状態では、まな板として使用し調理した食材をのせたまま、谷型の折り目に沿って曲げることにより、そのまま食器代わりの略角皿トレーとして使用でき、収納時には折りたため、場所をとらずに収納できる、まな板とトレーの機能を持つ他目的まな板。
【背景技術】
【０００２】
従来、調理で食材を切る際まな板が使用されています。しかし重量が重く嵩が大きく使用後の洗い又収納が不便である。
【０００３】
そこで、まな板の上にのせて使用する薄くて軽いポリプロピレン等樹脂素材のまな板シートや軽量されたまな板が市販又発明されています。しかし嵩が大きく収納が不便である。
【特許文献１】特許公開２００５−１３２９４号公報
【特許文献２】実用新案第３１１１６１１号公報
【発明の開示】
【発明が解決しようとする課題】
【０００４】
本発明は軽量で取り扱いが容易な、まな板であり食材をまな板の上で切り食材をのせたままトレーにし、そのまま食卓に出せるので食器の使用する量を減らすことにより、家事を軽減し又折りたため場所を取らずに収納できる多目的まな板を提供する。
【課題を解決するための手段】
【０００５】
図２の様に平坦な状態で食材をのせ、調理しその後に図３の様に谷型の折れ目に沿って内側に折り曲げることにより、略角皿状トレーを形成し図４のように折りたたみ収納できる多目的まな板。
【発明の効果】
【０００６】
本発明により軽量である為誰でもが容易に扱えてその上、略角皿トレーになるので家庭で使用する食器を減らすことにより食器の洗う頻度を減らすことが出来、家事の手間も軽減する。又折りたためる為、従来のまな板やまな板シートより収納に場所をとらない他目的まな板を提供する。
【発明を実施するための最良の形態】
【０００７】
本発明を図１、図２、図３、図４で説明する。図１で示すように本物品は平坦なシート状ポリプロピレン等の樹脂や紙素材又は樹脂と紙の複合体の素材で、略角皿トレーにする為の底部を画する矩形谷型の折り目１を側壁部の形成する１Ａ、２Ａ部を残し設ける。底部を画した矩形四隅先端から平坦シートの側壁部を形成する為の四方先端まで斜線谷型の折り目２を設け図３に示す様に谷型の折り目に沿って内側に折り曲げると、側壁部１Ａ、２Ａ部が立ち上がり略角皿トレーを形成する。尚本物品の素材は上記記入の素材が好ましが、金属や金属と樹脂の複合素材にても製造可能である。
【０００８】
図２で示すように側壁部先端から対面側壁部先端まで直線の谷型の折り目３を１本以上設けることにより折りたためる。又側部に４の固定用切り込みを設けることにより図４で示す様に折りたたんだ先端３Ａ部を挟み固定することができる。
【０００９】
図２で示すように側部に４Ａの吊り下げ用穴１箇所以上設けることにより吊り下げて収納できる。
【実施例】
【００１０】
図２に示す様にシートの状態で、まな板として使用し図３のの様に谷型の折り目に沿て内側に折り曲げることによりそのまま略角皿トレーとして使用でき、図４に示す様に折りたたみ収納できる。
【図面の簡単な説明】
【００１１】
【図１】実施形態に係る本用具の正面図
【図２】実施形態に係る本用具の正面図
【図３】実施形態に係る本用具のトレーにした図
【図４】実施形態に係る本用具の折りたたみの図
【符号の説明】
【００１２】
１     底部と側壁部を形成する谷型の折り目
２     底部と側壁部を形成する谷型の折り目
１Ａ   側壁部
２Ａ   側壁部
３     折りたたみ用谷型の折り目
３Ａ   折りたたみ先端部
４     折りたたみの際固定用切り込み
４Ａ   吊り下げ用穴
【図１】
2009101049.tif 000003
【図２】
2009101049.tif 000004
【図３】
2009101049.tif 000005
【図４】
2009101049.tif 000006
(57)【要約】【課題】  一般家庭、ホテル、マンションのユニットバスや温泉施設の風呂に容易に取り付けられるうえ、頭をのせて十分リラックスできる風呂用枕を提供することを課題とする。【解決手段】  ゴム引布５でかまぼこ型の風呂用枕１を形成し、ユニットバスや温泉施設の風呂に容易に取り付けられるように吸盤２を設ける。ユニットバスの場合は、壁面に吸盤２を取り付け、温泉施設の風呂の場合は、吸盤２を下にして浴槽に取り付ける。かまぼこ型の風呂用枕１の中に、プラスチック３を土台にし、低反発ウレタン４を使用することによって、頭をのせて十分リラックスすることができる。【選択図】図１
2009101100.tif 000002
【特許請求の範囲】
【請求項１】
一般家庭、ホテル、マンションのユニットバスや温泉施設の風呂に容易に取り付けられる吸盤を設けた風呂用枕。
【請求項２】
ポリエチレンを土台にして、低反発ウレタンを入れたかまぼこ型の枕を特徴とした請求項１記載の風呂用枕。
【請求項３】
人の好みや風呂に合わせ、合成ゴム、樹脂、発泡スチロールを枕の中に入れられる、丈夫でカラフルなゴム引布を特徴とした請求項１記載の風呂用枕。
【発明の詳細な説明】
【技術分野】
【０００１】  本発明は、一般家庭、ホテル、マンションのユニットバス及び温泉施設で使用する風呂用枕に関する。
【背景技術】
【０００２】  高価な浴槽の中には、最初から頭をのせられる形をした浴槽が少しは出てきている。また、金具の付いた風呂用枕は発明されているが、ユニットバスや温泉施設の風呂で使用できる風呂用枕はほとんどない。（特許文献１参照）
【特許文献１】  特許公開平９−１４０６０９
【発明の開示】
【発明が解決しようとする課題】
【０００３】  最近の家庭やホテル、マンションの風呂は、ユニットバスが多く、風呂用枕を金具で取り付けることは難しい。発明されている風呂用枕は、ユニットバスには取り付けが困難なうえ、頭をのせて十分リラックスできるとは言えない。また、温泉施設の風呂用枕はほとんどない。そこで、この発明は、ユニットバスや温泉施設の風呂に容易に取り付け、頭をのせて十分リラックスできる風呂用枕を提供することを課題とする。
【課題を解決するための手段】
【０００４】  以上の課題を解決するために、第一発明は、ユニットバスや温泉施設の風呂に容易に取り付けられる吸盤を設けたことを特徴とする風呂用枕である。また、第二発明は、ポリエチレンを土台とし、低反発ウレタンを入れたかまぼこ型の枕を特徴とする風呂用枕である。第三発明は、丈夫でカラフルなゴム引布を特徴とする風呂用枕である。
【発明の効果】
【０００５】  上述したように、本発明の風呂用枕は、吸盤を設けたので家庭、ホテル、マンションのユニットバスや温泉施設の風呂に容易に取り付けられる風呂用枕を提供できる。【０００６】  また、ポリエチレンを土台にし、低反発ウレタンを入れたかまぼこ型の風呂用枕なので、頭をのせてリラックスするのに効果的である。【０００７】  さらに、丈夫でカラフルなゴム引布を用いることで、人の好みや風呂に合わせて様々な色や図柄を使用できるとともに、ゴム引布の中に、合成ゴム、樹脂、発泡スチロールを入れることができる。
【発明を実施するための最良の形態】
【０００８】  本発明の一実施形態を図１に示す。風呂用枕本体１は、かまぼこ型であり、平らな面には吸盤２が設けてある。以下、本発明の実施形態を図１〜図５に基づいて示す。
【実施形態の効果】
この実施形態によれば、吸盤２を設けたかまぼこ型の風呂用枕１であり、ユニットバスの場合は、壁面に容易に取り付けることができる。また、温泉施設の風呂の場合は、吸盤２を設けた平らな面を下向きにして、浴槽に容易に取り付けることができる。さらに、かまぼこ型の風呂用枕１の中にはポリエチレンを土台にし、低反発ウレタンを用いているので、頭をのせてリラックスするのに十分効果がある。
【図面の簡単な説明】
【０００９】
【図１】  本発明の実施形態を示す風呂用枕の斜視図
【図２】  同風呂用枕を真上から見た外観図
【図３】  同風呂用枕の図２におけるＡ−Ａ線断面図
【図４】  同風呂用枕のユニットバスにおける斜視図
【図５】  同風呂用枕の温泉施設の風呂における斜視図
【符号の説明】
【００１０】    １  風呂用枕本体
２  吸盤
３  ポリエチレン
４  低反発ウレタン
５  ゴム引布
【図１】
2009101100.tif 000003
【図２】
2009101100.tif 000004
【図３】
2009101100.tif 000005
【図４】
2009101100.tif 000006
【図５】
2009101100.tif 000007
【手続補正書】
【提出日】平成19年11月6日(2007.11.6)
【手続補正１】
【補正対象書類名】特許請求の範囲
【補正対象項目名】請求項２
【補正方法】変更
【補正の内容】
【請求項２】
プラスチックを土台にして、低反発ウレタンを入れたかまぼこ型の枕を特徴とした請求項１記載の風呂用枕。
【手続補正２】
【補正対象書類名】明細書
【補正対象項目名】０００４
【補正方法】変更
【補正の内容】
【０００４】  以上の課題を解決するために、第一発明は、ユニットバスや温泉施設の風呂に容易に取り付けられる吸盤を設けたことを特徴とする風呂用枕である。また、第二発明は、プラスチックを土台とし、低反発ウレタンを入れたかまぼこ型の枕を特徴とする風呂用枕である。第三発明は、丈夫でカラフルなゴム引布を特徴とする風呂用枕である。
【手続補正３】
【補正対象書類名】明細書
【補正対象項目名】０００６
【補正方法】変更
【補正の内容】
【０００６】  また、プラスチックを土台にし、低反発ウレタンを入れたかまぼこ型の風呂用枕なので、頭をのせてリラックスするのに効果的である。
【手続補正４】
【補正対象書類名】明細書
【補正対象項目名】０００８
【補正方法】変更
【補正の内容】
【０００８】
本発明の一実施形態を図１に示す。風呂用枕本体１は、かまぼこ型であり、平らな面には吸盤２が設けてある。以下、本発明の実施形態を図１〜図５に基づいて示す。
【実施形態の効果】
この実施形態によれば、吸盤２を設けたかまぼこ型の風呂用枕１であり、ユニットバスの場合は、壁面に容易に取り付けることができる。また、温泉施設の風呂の場合は、吸盤２を設けた平らな面を下向きにして、浴槽に容易に取り付けることができる。さらに、かまぼこ型の風呂用枕１の中にはプラスチックを土台にし、低反発ウレタンを用いているので、頭をのせてリラックスするのに十分効果がある。
【手続補正５】
【補正対象書類名】明細書
【補正対象項目名】００１０
【補正方法】変更
【補正の内容】
【００１０】
１  風呂用枕本体
２  吸盤
３  プラスチック
４  低反発ウレタン
５  ゴム引布